【手続補正書】
【提出日】平成17年4月19日(2005.4.19)
【手続補正１】
【補正対象書類名】明細書
【補正対象項目名】全文
【補正方法】変更
【補正の内容】
【書類名】    明細書
【発明の名称】  クリーナモータ
【特許請求の範囲】
【請求項１】モータに取付けられたケーシングと、該ケーシングに内包されたファンおよびエアガイドと、モータフレームのハウジングに装着されて軸に枢支される密封型転がり軸受とを備えて構成されるクリーナモータであって、上記密封型転がり軸受は、モータフレームの両端に設けられた各ハウジングに装着されるファン側軸受とコンミテータ側軸受とからなり、ファン側軸受はファン対向側のシールを非接触シールとすると共に、モータ対向側のシールを軽接触シールとし、一方コンミテータ側のシールは、コンミテータ対向側のシールおよび大気側のシールを夫々非接触シールとしたことを特徴とするクリーナモータ。
【発明の詳細な説明】
【０００１】
【発明の属する技術分野】
本発明はクリーナモータ、詳しくはクリーナモータの軸受の改良に関する。
【０００２】
【従来の技術】
従来のこの種のクリーナモータ１００では、図示せるような非接触のシールド玉軸受７００，８００を用いていた（図２参照）。
シールド玉軸受としては、内輪７０１及び外輪７０２間に転動体７０３…と、該転動体７０３…を転動自在に保持するプラスティック保持器７０５を配し、外輪７０２の端部に設けられた環状みぞにシールド７０４の外径部を取付けると共に、シールド７０４の内径先端を内輪７０１に近接させ、ラビリンスを形成することにより、低トルクでしかも軸受内部に塵埃などの異物が侵入しないようにしたものである。尚、図中５０１はモータフレーム、５０２はロータ、５０３はステータ、９００は軸を示す。
【０００３】
クリーナモータ１００は、一種のファンモータであって、ファン２００により吸い込まれた空気は、エアガイド３００の内壁に沿って移動し、モータ５００側に設けた吸気口４００からモータ５００内部に流入され、モータ５００の各部（ロータ５０２、ステータ５０３等）を冷却して排出口６００からモータ５００外部に排出される（図中、矢印Ａにて示す方向の流れ）。
【０００４】
【発明が解決しようとする課題】
しかし、従来技術では、ファン２００側に配設されていた軸受７００がシールド７０４，７０４による密封を図っていたものであったため、吸い込まれた空気の一部が、該ファン２００側に配設された軸受７００を通ってモータ側（高圧側）からファン２００側（低圧側）に戻ってきていた（図中矢印Ｂにて示す方向の流れ）。
すなわち、クリーナモータ１００の回転作動時には、空気の流れによりファン２００側に配した軸受７００におけるファン対向側には負圧が発生してしまい、該軸受７００を通してモータ５００側からファン２００側に空気が流れてしまうことによる。
【０００５】
従って、吸い込み効率向上が求められている昨今、従来のシールド玉軸受では上述の理由により吸い込み効率が思うように向上しないことも考えられた。
【０００６】
本発明は、従来技術の有するこのような問題点に鑑みなされたものであり、その目的とするところは、軸受のトルクを上昇させることなく吸い込み効率を向上させたクリーナモータを提供することである。
【０００７】
【課題を解決するための手段】
上記課題を解決するために本発明がなした技術的手段は、モータに取付けられたケーシングと、該ケーシングに内包されたファンおよびエアガイドと、モータフレームのハウジングに装着されて軸に枢支される密封型転がり軸受とを備えて構成されるクリーナモータであって、上記密封型転がり軸受は、モータフレームの両端に設けられた各ハウジングに装着されるファン側軸受とコンミテータ側軸受とからなり、ファン側軸受はファン対向側のシールを非接触シールとすると共に、モータ対向側のシールを軽接触シールとし、一方コンミテータ側のシールは、コンミテータ対向側のシールおよび大気側のシールを夫々非接触シールとしたことである。  
【０００８】
【発明の実施の形態】
以下、本発明クリーナモータの一実施形態を図に基づいて説明する。尚、以下に示す実施形態は、本発明の一実施形態を示すものにすぎず何等これらに限定されるものではなく本発明の範囲内において適宜変更可能である。
【０００９】
図面は、本発明クリーナモータの一実施形態で、クリーナモータ１は、モータ２と、該モータ２に取付けられたケーシング３と、該ケーシング３に内包されたファン４およびエアガイド５と、モータフレーム８のハウジング９ａ，９ｂに装着されて軸１０に枢支される密封型転がり軸受１１，１２とを備えて構成されており、モータ２によりファン４を高速回転させて風量と真空圧を得る様になっている。図中、６はロータ、７はステータ、１３は吸気口、１４は排気口、１５はブラシ、１６はコンミテータ、１７はウェーブワッシャを示す。
【００１０】
また、モータ２側の構成、ファン４側の構成は図示例に限定されず、他の構成を付加することも、現構成を他の周知構成に変更することも可能である。
【００１１】
密封型転がり軸受１１は、外輪１１ａ、内輪１１ｂ、保持器１１ｃ、転動体１１ｄ、シール１１ｅ，１１ｆからなり、本実施形態にあっては、ファン４側のシール１１ｆを非接触シール（あるいはシールド）とし、モータ２側のシール１１ｅを接触シールとする。
【００１２】
接触シール１１ｅは、外径側を外輪１１ａの端部に固着させると共に、シールリップ１１ｅ′を内輪１１ｂの外径面に接触させる周知一般の接触シールが適用可能である。
尚、できる限りトルクを低く抑える目的から言えば、接触シール１１ｅは極めて軽接触であることが好ましい。
【００１３】
本実施形態にあっては、外向き（本実施形態ではモータ２側向き）のリップ１１ｅ′を備えた接触シールをもって説明するが、本発明の範囲内における変更であれば何等図示例に限定されない。
【００１４】
非接触シール１１ｆは、特に限定されるものではなく、本発明の範囲内において周知の非接触シール（シールド）が適用される。
【００１５】
コンミテータ１６側に配設された密封型転がり軸受１２は、非接触シール（あるいはシールド）とすることで、トルクを低く抑えつつ異物侵入を防止するものとする。この軸受にあっては非接触シールを備えた周知の軸受が適用される。
【００１６】
上述した接触シール１１ｅ、非接触シール（あるいはシールド）１１ｆの形状（例えばリップ形状，向きなど）は特に限定されるものではなく任意であり、また材質（ゴム，樹脂，芯金の有無など）、あるいは数も任意で限定されることはない。
【００１７】
本実施形態のクリーナモータ１によれば、クリーナモータ１の回転作動時には、ファン４により吸い込まれた空気が、エアガイド５の内壁に沿って移動し、モータ２側に設けた吸気口１３からモータ２内部に流入され、モータ２の各部（ロータ６、ステータ７等）を冷却して排気口１４からモータ２外部に排出される（図中、矢印Ａにて示す方向の流れ）。
【００１８】
この時、ファン４側に配設した軸受１１の一方のシール（本実施形態ではモータ２側のシール）１１ｅを接触シールとしたことで、該接触シール１１ｅにより空気の流れが遮断されるため、ファン対向側にはクリーナモータ１の回転作動時に負圧が生じない。従って、ファン４側の軸受１１を通ってモータ側（高圧側）からファン４側（低圧側）に空気が戻ってくることはないため、吸い込み力が向上した。
【００１９】
また、モータ２側とファン４側に配設されるシール１１ｅ，１１ｆのうち、モータ２側に配したシール１１ｅのみを接触シールとしていることから、トルクも高くならない。さらに、ファン４側に配したシール１１ｆを接触シールとし、モータ２側に配したシール１１ｅを非接触シールとした実施の形態であっても同様の作用効果を生じた。
【００２０】
【発明の効果】
本発明は、上述の通り構成したため、軸受のトルクを上昇させることなく吸い込み効率を向上させたクリーナモータが提供できた。
【図面の簡単な説明】
【図１】本発明クリーナモータの一実施形態を示す断面図。
【図２】従来技術の断面図。
【符号の説明】
１：クリーナモータ
２：モータ
３：ケーシング
４：ファン
５：エアガイド
１０：軸
１１：ファン側の密封型転がり軸受
１１ｅ：モータ側シール（接触シール）
１１ｆ：ファン側シール（非接触シール）
１２：コンミテータ側の密封型転がり軸受
１３：吸気口
１４：排気口